(57)【特許請求の範囲】
【請求項１】
糸を進入させる導糸口片と該糸の走行経路中に設けた張力調整部によって適度な走行抵抗が付与された糸を通過させる導糸口片とを備えた糸ガイド装置において、
前記張力調整部は副張力調整部と主張力調整部とからなり、副張力調整部については、糸が供給される側に設けた導糸口片と、一定間隔をおいて枠体に上下動自由に設けられた横杆の下面に、複数個の抵抗リングが挿入された支持片を直交状に差し渡すと共に各抵抗リングを各横杆の間に介在させるように設け、主張力調整部については、複数の糸案内軸が回転軸を挟んで夫々立設された揺動レバーを台板に回転可能に設けると共に、その回転軸に固定した小ギヤと該台板に回転自由とした大ギヤとを噛合させ、前記台板に回転可能に設けた調節レバーと該大ギヤとに引きバネを懸架し、その引きバネにより前記揺動レバーを糸に走行抵抗を与える回転方向に常に付勢するように設け、副張力調整部にて抵抗リングと横杆との間を通過させて軽度の走行抵抗が付与された糸に、主張力調整部にてさらに適度な走行抵抗を付与するように設け、走行中の糸が急に緊張したり緩みを生じるときに、前記揺動レバーを時計方向又は反時計方向に回転させることにより長さの変化分を吸収させるように構成したことを特徴とする糸ガイド装置。
【発明の詳細な説明】
【０００１】
【発明の属する技術分野】
本発明は、糸の巻き返し機等において走行する糸の張力(糸に付与する走行抵抗)を調整するために用いられる糸ガイド装置に関する。
【０００２】
【従来の技術】
従来の糸ガイド装置として、本件出願人にかかるものが実公平７−５４２０７号公報、特許第２８４１０２２号公報等にて開示されている。前者の糸ガイド装置は、下皿板と上皿板とを重ねて回転自由に遊嵌した第２案内中心軸が固定された長円形の台板の一端部を、下皿板と上皿板とを重ねて回転自由に遊嵌した基盤の第１案内中心軸に一定角度内で回転可能に設け、基盤に対する台板の回転角度を調節することにより下皿板と上皿板との間を走行する糸に付与する走行抵抗を調整する構造とされている。
また、後者の糸ガイド装置は、下皿板と上皿板とを重ねて回転自由に遊嵌した一対の案内軸が固定された円形の台板の中心部を基盤にボルト軸で取り付け、該ボルト軸を中心として台板が一定角度内で回転可能に設けられ、台板の回転角度を調整することにより糸に付与する走行抵抗を調整する構造とされている。
【０００３】
【発明が解決しようとする課題】
上記した従来の何れの糸ガイド装置においても、主な調節を基盤に対する台板の回転角度の調節により施すように設定し、その上で糸を下皿板と上皿板との間に走行させることにより糸の張力の調整を行うようにしている。しかし、走行する糸が急に緊張したり緩みを生じることが繰り返されるような場合には、その長さの変化分を吸収することは難しく、うまく吸収することができないときには糸切れを招く危惧がある。
【０００４】
この発明の目的は、走行する糸の張力調整が容易であり、糸切れを可及的に防止した糸ガイド装置を提供することにある。
【０００５】
【課題を解決するための手段】
前記目的を達成するために請求項１に記載の発明は、糸を進入させる導糸口片と該糸の走行経路中に設けた張力調整部によって適度な走行抵抗が付与された糸を通過させる導糸口片とを備えた糸ガイド装置において、前記張力調整部は副張力調整部と主張力調整部とからなり、副張力調整部については、糸が供給される側に設けた導糸口片と、一定間隔をおいて枠体に上下動自由に設けられた横杆の下面に、複数個の抵抗リングが挿入された支持片を直交状に差し渡すと共に各抵抗リングを各横杆の間に介在させるように設け、主張力調整部については、複数の糸案内軸が回転軸を挟んで夫々立設された揺動レバーを台板に回転可能に設けると共に、その回転軸に固定した小ギヤと該台板に回転自由とした大ギヤとを噛合させ、前記台板に回転可能に設けた調節レバーと該大ギヤとに引きバネを懸架し、その引きバネにより前記揺動レバーを糸に走行抵抗を与える回転方向に常に付勢するように設け、副張力調整部にて抵抗リングと横杆との間を通過させて軽度の走行抵抗が付与された糸に、主張力調整部にてさらに適度な走行抵抗を付与するように設け、走行中の糸が急に緊張したり緩みを生じるときに、前記揺動レバーを時計方向又は反時計方向に回転させることにより長さの変化分を吸収させるように構成したことを特徴とする。
【０００６】
【発明の作用及び効果】
導糸口片から進入する糸は、最初に副張力調整部にて抵抗リングと横杆との間を通過することによって軽度の走行抵抗が付与され、さらに、主張力調整部にて台板に固定された糸案内軸と揺動レバーの糸案内軸の間を走行するときに適度な走行抵抗が付与されて導糸口片から外部に排出される。
その揺動レバーは糸に走行抵抗（張力）を与える回転方向に引きバネにより常に付勢されており、その引きバネの弾力調節を行うことによって糸に付与する走行抵抗を任意に調整することができる。また、走行する糸が急に緊張したり緩みを生じることが繰り返されるような場合には、揺動レバーが時計方向又は反時計方向に回転して長さの変化分を吸収することから、糸が切れるのを可及的に防止することができる。
【０００７】
この糸ガイド装置は、走行する糸の張力調整を調節レバーの操作によって簡単に行うことができると共に、走行中の糸が急に緊張したり緩みを生じるときに揺動レバーの回転動作によって長さの変化分を吸収させることにより、糸切れを可及的に防止することができる利点を有する。
【０００８】
【発明の実施の形態】
以下に、本発明の実施の形態例を図面に基づいて説明する。図１は糸ガイド装置の平面図、図２は同装置の一部を破断して示す側面図、図３は同装置の底面図である。
【０００９】
図１に示す糸ガイド装置１は、糸ｙの走行経路ｃ中に順に副張力調整部１０と主張力調整部２５とを設け、それらによって走行する糸に適度な走行抵抗（張力）を付与するように構成されている。
【００１０】
副張力調整部１０において、糸ｙが供給される側の枠体１１の突片１２には大径の皿板１５が固定され、その中心部に導糸口片１６が設けられている。その枠体１１の両側片１３、１３には一定間隔をおいて４組の縦長孔１４を対向状に形成し、それらの長孔１４に直径約２.２ｍｍの横杆１７を夫々遊嵌して上下動自由に設ける。それらの横杆１７の下面には、複数個、ここでは３個の直径約２０ｍｍの抵抗リング１９が挿入されたほぼＴ字形の支持片１８を直交状に差し渡す。各抵抗リング１９は横杆１７、１７の間に介在させるように設けられている。その枠体１１は、後記する台板２６の前方部に位置する導糸口片２８を設けた端板２７に固定されている。
【００１１】
主張力調整部２５において、ほぼ瓢箪形状の台板２６の大円形部２６ａの中心下方には、図２に示すように、ボス３０が縦方向に固定されており、そのボス３０に揺動レバー３１の回転軸３２を遊嵌する。その揺動レバー３１の上面には、前記回転軸３２を挟んで２本ずつ計４本の糸案内軸３３を立設すると共に、走行経路ｃの後方側に位置する自由端部３１ａにリング片３４を取り付ける。また、前記ボス３０から突出する揺動レバー３１の回転軸３２の部分には座金３５を通してから小ギヤ３６を固定し、前記ボス３０に外嵌めしたコイルバネ３７の弾力をその小ギヤ３６に及ぼさせることにより、回転軸３２の軸方向のガタツキを生じないように設ける。
【００１２】
図２に示すように、前記台板２６に固定された縦軸３８には、前記小ギヤ３６に噛合させる大ギヤ３９を回転自由に遊嵌し、その大ギヤ３９から突出する縦軸３８の部分にコイルバネ４１と座金４２を通してからナット４３を螺着する。
【００１３】
上記台板２６の小円形部２６ｂの中心下方には、縦軸４５を固定する。図２、図３に示すように、その縦軸４５には、調節レバー４６の一端の円形部４７、カラー４８及び座金４９を順に遊嵌してナット５０を螺着している。その調節レバー４６の円形部４７の側縁から下方に延びる突片４７ａには引きバネ５１の一端部５１ａが係止され、該バネ５１の他端部５１ｂは前記大ギヤ３９のボス部分３９ａにビス４０で固定されている。５２は前記小円形部２６ｂの周縁部に表された目盛りである。そして、前記調節レバー４６の自由端上面には、その目盛り５２に対する合マーク５３を設ける。
【００１４】
しかして、調節レバー４６の操作により引きバネ５１の弾力の調節を行い、前記揺動レバー３１が糸ｙに走行抵抗を与える回転方向に引きバネ５１により常に付勢されるように設ける。
【００１５】
５５、５６は上記台板２６の大円形部２６ａに固定された縦向きの糸案内軸であって、それらは前記揺動レバー３１の糸案内軸３３、３３の間に介入する位置に設けられている。５７は台板２６の後方部に位置する端板２９に設けられた導糸口片である。５８は台板２６の下面に固定された取付片である。
【００１６】
以上により、調節レバー４６を操作して引きバネ５１の弾力の調節を行うことにより、台板２６に固定された糸案内軸５５、５６と揺動レバー３１の複数の糸案内軸３３に架け渡される糸に付与する走行抵抗を任意に調整するように設けられた糸ガイド装置１が構成される。
【００１７】
つぎに、糸ガイド装置１の作動を図１に基づいて説明する。
（１）導糸口片１６から進入する糸ｙは、最初に走行経路ｃ中に設けられた副張力調整部１０にて抵抗リング１９と横杆１７との間を通過することによって軽度の走行抵抗が付与され、中間の導糸口片２８を通って主張力調整部２５に進出する。
（２）主張力調整部２５に進入した糸ｙは、引きバネ５１により走行抵抗を増加する方向に付勢された揺動レバー３１の糸案内軸３３と、固定された糸案内軸５５、５６との間を走行し、このときに適度な走行抵抗が付与されてリング片３４で向きを変えられて導糸口片５７から外部に排出される。
【００１８】
その揺動レバー３１による糸ｙに付与する走行抵抗（張力）については、調節レバー４６の操作により引きバネ５１の弾力の調節を行うことによって任意に調整することができる。また、走行する糸ｙが急に緊張したり緩みを生じることが繰り返されるような場合には、揺動レバー３１が時計方向又は反時計方向に追随回転してその長さの変化分が吸収されるので、糸が切れるのが防止される。
【００１９】
以上に述べたとおり、この糸ガイド装置によれば、走行する糸の張力調整を調節レバーの操作によって引きバネの弾力調節を施すことにより簡単に行うことができる。
【図面の簡単な説明】
【図１】糸ガイド装置の平面図
【図２】同装置の一部を破断して示す側面図
【図３】同装置の底面図
【符号の説明】
ｙ→糸
ｃ→走行経路
１→糸ガイド装置
１０→副張力調整部
１１→枠体  １６→導糸口片
１７→横杆  １８→支持片
１９→抵抗リング
２５→主張力調整部
２６→台板
３１→揺動レバー  ３２→回転軸
３３→糸案内軸  ３４→リング片
３６→小ギヤ
３８→縦軸  ３９→大ギヤ
４５→縦軸  ４６→調節レバー
５１→引きバネ
５５，５６→糸案内軸
５７→導糸口片
【図１】
0003571994.tif 000002
【図２】
0003571994.tif 000003
【図３】
0003571994.tif 000004